(57)【要約】【課題】  リブ付き壁材を平担形状或いは湾曲形状に保持させる場合に、簡単な加工で形状を自己保持することができ、又、軽量化を達成できると共に、断熱性、遮音性に優れ、かつ耐火性に優れたリブ付き壁材の提供。【解決手段】  外面に突出するように曲げ形成した筋条リブ部１０と平面部１１が交互に形成されることで断面凹凸状に形成された壁材本体１と、前記筋条リブ部の内部に充填される状態で壁材本体の内面に全面的に形成された硬質発泡材層２とで形成されている。更に、硬質発泡材層の内面に耐火層５が形成されている。【選択図】  図３
2007327198.tif 000002
【特許請求の範囲】
【請求項１】
外面に突出するように曲げ形成した筋条リブ部と平面部が交互に形成されることで断面凹凸状に形成された壁材本体と、前記筋条リブ部の内部に充填される状態で壁材本体の内面に全面的に形成された硬質発泡材層とで形成されていることを特徴とするリブ付き壁材。
【請求項２】
前記硬質発泡材層の内面に耐火層が形成されている請求項１記載のリブ付き壁材。
【発明の詳細な説明】
【技術分野】
【０００１】
本発明は、壁面構築に用いられるリブ付き壁材に関し、特に、リブ付き壁材の形状保持技術に関する。
【背景技術】
【０００２】
従来、壁面構築用の壁材として断面凹凸状に形成されたリブ付き壁材が知られている（特許文献１参照）。
【０００３】
このリブ付き壁材は、外面に突出するように曲げ形成した筋条リブ部と平面部が交互に形成されることで断面凹凸状に形成されたものである。
このリブ付き壁材は、筋条リブ部の筋方向と直交する方向の曲げに対して剛性を有するが、筋条リブ部の筋方向と平行方向へは容易に屈曲するという特性を有することから、この屈曲性を利用して湾曲形状に形成した状態で取り付けることが可能になる。
このように、リブ付き壁材は、平担形状だけでなく湾曲形状でも使用できるが、その平担形状或いは湾曲形状に保持させる必要がある。
【０００４】
従来のリブ付き壁材は、その形状を保持するため、平面部に筋条リブ部を跨いで外面材を取り付けるようにしていた。
このような外面材をリブ付き壁材の形状保持手段として用いると、外面材を取り付けるための加工に多くの手間と設備が必要になるし、外面材によって全体重量が重くなってしまうという問題が生じる。
【特許文献１】特許公開平８−１２０８０８号公報
【発明の開示】
【発明が解決しようとする課題】
【０００５】
本発明は、リブ付き壁材を平担形状或いは湾曲形状に保持させる場合に、簡単な加工で形状を自己保持することができ、又、軽量化を達成できると共に、断熱性、遮音性に優れたリブ付き壁材を提供することを課題としている。
【課題を解決するための手段】
【０００６】
上記の課題を解決するために、本発明（請求項１）のリブ付き壁材は、
外面に突出するように曲げ形成した筋条リブ部と平面部が交互に形成されることで断面凹凸状に形成された壁材本体と、前記筋条リブ部の内部に充填される状態で壁材本体の内面に全面的に形成された硬質発泡材層とで形成されている構成とした。
【０００７】
又、本発明（請求項２）のリブ付き壁材は、
請求項１記載のリブ付き壁材において、前記硬質発泡材層の内面に耐火層が形成されている構成とした。
【発明の効果】
【０００８】
本発明のリブ付き壁材は、壁材本体に形成された筋条リブ部の内部に充填される状態で壁材本体の内面に硬質発泡材層が全面的に形成されている構成に特徴がある。
このように、筋条リブ部の内部を含めて壁材本体の内面に全面的に硬質発泡材層が形成されているため、この硬質発泡材層が壁材本体の形状を固める変形防止部材として機能し、その形状を自己保持することができる。
そして、この硬質発泡材層は、硬質発泡材をスプレーガンによって壁材本体の内面に吹き付けるだけの簡単な加工で形成することができる。
又、硬質発泡材層であるため、軽量化を達成できると共に、断熱性、遮音性に優れたリブ付き壁材を得ることができる。
【０００９】
又、硬質発泡材層の内面に耐火層を形成させると（請求項２）、耐火性（難燃性）に優れたリブ付き壁材を得ることができる。
【発明を実施するための最良の形態】
【００１０】
図１は本発明第１実施例のリブ付き壁材の断面図、図２はそのリブ付き壁材の壁材本体を示す外面図である。
このリブ付き壁材Ａは、断面凹凸状に形成された壁材本体１と、この壁材本体の内面に全面的に形成された硬質発泡材層２とで形成されている。
【００１１】
前記壁材本体１は、板材に縦方向に延長して多数の筋条リブ部１０が形成されたもので、外面に突出するように曲げ形成した筋条リブ部１０と平面部１１が交互に繰り返し形成されることで断面凹凸状に形成され、かつ両端にツバ部１２が形成され、全体としては平担形状に形成されている。
実施例では、前記筋条リブ部１０のサイズは、平面部１１から高さ４５ｍｍ程度で、幅１５ｍｍ程度の角形状に形成され、かつ各筋条リブ部１０はピッチ６０ｍｍで形成されている。
又、壁材本体１の外形サイズは、横幅４５０ｍｍ、縦幅３０００ｍｍの壁材本体１を、その端部に形成したツバ部１２，１２同士を重ね合わせて２枚継ぎ合わせることで広幅サイズ（４５０ｍｍ×２）に形成されている。
なお、その継ぎ合わせ部分にジョイントカバー１３が設けられている。
【００１２】
筋条リブ部１０のサイズや壁材本体１の外形サイズは、実施例に限定されるものではないし、筋条リブ部１０の形状も、角形状に限らず、上端幅を基端幅よりも狭く形成した台形状、上端を円弧に形成した円弧形状等に形成してもよい。
又、壁材本体１の材料についても、一般的にアルミ板、ステンレス板、ガルバ板等を使用するが、これらに限定されない。
【００１３】
前記硬質発泡材層２は、前記筋条リブ部１０の内部に充填される状態で壁材本体１の内面に全面的に形成されている。
この硬質発泡材層２は、硬質発泡ウレタンをスプレーガンによって壁材本体１の内面に吹き付けることで形成され、実施例では、筋条リブ部１０の内部に完全に充填すると共に、壁材本体１の内面に２０ｍｍ厚程度の層に形成されている。
なお、硬質発泡材としては、硬質発泡ウレタンに限定されず、形状を保持するのに必要な硬度を有し、かつ軽量で断熱性及び遮音性を有するものを使用できる。
【００１４】
従って、前記リブ付き壁材Ａは、筋条リブ部１０の内部を含めて壁材本体１の内面に全面的に硬質発泡材層２が形成されているため、この硬質発泡材層２が壁材本体１の形状を固める変形防止部材として機能し、その平坦形状を自己保持することができる。
そして、この硬質発泡材層２は、硬質発泡材をスプレーガンによって壁材本体１の内面に吹き付けるだけの簡単な加工で形成することができる。
又、硬質発泡材層２であるため、軽量化を達成できると共に、断熱性、遮音性に優れたリブ付き壁材を得ることができる。
【００１５】
なお、上記のように形成されたリブ付き壁材Ａは、例えば、家屋の骨組みを形成する鉄骨材３に胴縁４を介して取り付けることになるが、軽量であるし、それ自身に断熱性、遮音性を有するため、別途に断熱材や遮音材を装填する作業が不要になり、作業性を著しく向上させることができる。
【００１６】
次に、図３は本発明第２実施例のリブ付き壁材の断面図である。
このリブ付き壁材Ｂは、壁材本体１が全体としては湾曲形状に形成され、かつ硬質発泡材層２の内面に耐火層５が形成されている点に特徴がある。
前記耐火層５は、無機質プレ発泡材をスプレーガンによって硬質発泡材層２の内面に吹き付けることで形成され、実施例では、１０ｍｍ厚程度に形成した硬質発泡材層２の内面に２０ｍｍ厚程度の層に形成されている。
尚、その他の構成は、前記第１実施例と同様である。
【００１７】
従って、前記リブ付き壁材Ｂは、硬質発泡材層２によって壁材本体１の湾曲形状を自己保持することができるし、特に、耐火層５によって優れた耐火性（難燃性）を備えることができる。
【図面の簡単な説明】
【００１８】
【図１】本発明第１実施例のリブ付き壁材の断面図である。
【図２】そのリブ付き壁材の壁材本体を示す外面図である。
【図３】本発明第２実施例のリブ付き壁材の断面図である。
【符号の説明】
【００１９】
１  壁材本体
１０  筋条リブ部
１１  平面部
１２  ツバ部
１３  ジョイントカバー
２  硬質発泡材層
３  鉄骨材
４  胴縁
５  耐火層
Ａ  リブ付き壁材
Ｂ  リブ付き壁材
【図１】
2007327198.tif 000003
【図２】
2007327198.tif 000004
【図３】
2007327198.tif 000005